(57)【要約】【課題】  サーバ側でクライアント端末のチューナ装置情報を管理することにより、クライアント端末利用ユーザにネットワーク上にある他ユーザのチューナ装置を利用させることのできるシステムを提供する。【解決手段】  ネットワークに接続された複数のチューナ機能付き番組データ保存可能端末装置、端末装置を管理するサーバ装置、及びそれらを接続するネットワークから構成され、端末装置を利用するユーザからのリクエストを元に管理サーバが他の端末装置に番組データ送信予約指示を行い、予約を受け付けた端末装置はリクエストしたユーザの端末装置にネットワークを介して番組データをリアルタイムに配信する、録画リクエストをしたユーザ側端末装置では番組データを受信して保存する。【選択図】  図１
2007166407.tif 000002
【特許請求の範囲】
【請求項１】
複数の端末装置及びそれらの端末装置を管理するサーバ装置及び端末装置とサーバ装置とを接続するネットワークから構成されるテレビ放送受信手段共有システムおいて、
前記サーバ装置は、
ユーザからの前記端末装置経由で番組予約を受け付ける手段と、
前記受け付けた番組予約情報を他の端末装置に送信する手段とを備え、
前記端末装置は、
テレビ放送を受信する手段と、
前記テレビ放送を受信する手段により受信したテレビ放送の番組データを他の端末装置に送信する手段と、
前記送信手段により前記ネットワークを介して送信されてきた前記番組データを受信する手段と、
前記受信手段にて受信した前記番組データを記憶装置に蓄積する手段と、
前記テレビ放送の番組データを他の端末装置へ送信する際、前記サーバ装置経由で送信されてきた番組予約情報をもとに送信先端末装置を決定する手段とを備えることを特徴とするテレビ放送受信手段共有システム。
【請求項２】
請求項１に記載のテレビ放送受信手段共有システムにおいて、
前記端末装置の設置場所を記憶する手段と、
番組予約依頼を端末装置から受け付けた際に、予約元の端末装置の設置場所情報と一致する設置場所情報を持つ端末装置に番組録画依頼を行う手段とを備えることを特徴とするテレビ放送受信手段共有システム。
【請求項３】
複数の端末装置及びそれらの端末装置を管理するサーバ装置及び端末装置とサーバ装置とを接続するネットワークから構成されるテレビ放送受信手段共有システムにおけるテレビ放送受信手段共有方法おいて、
前記サーバ装置は、
ユーザからの前記端末装置経由で番組予約を受け付ける工程と、
前記受け付けた番組予約情報を他の端末装置に送信する工程とを備え、
前記端末装置は、
テレビ放送を受信する工程と、
前記テレビ放送を受信する工程により受信したテレビ放送の番組データを他の端末装置に送信する工程と、
前記送信工程により前記ネットワークを介して送信されてきた前記番組データを受信する工程と、
前記受信工程にて受信した前記番組データを記憶装置に蓄積する工程と、
前記テレビ放送の番組データを他の端末装置へ送信する際、前記サーバ装置経由で送信されてきた番組予約情報をもとに送信先端末装置を決定する工程とを備えることを特徴とするテレビ放送受信手段共有方法。
【請求項４】
請求項３に記載のテレビ放送受信手段共有方法おいて、
前記端末装置の設置場所を記憶する工程と、
番組予約依頼を端末装置から受け付けた際に、予約元の端末装置の設置場所情報と一致する設置場所情報を持つ端末装置に番組録画依頼を行う工程を備えることを特徴とするテレビ放送受信手段共有方法。
【請求項５】
請求項３又は、請求項４のいずれかに記載のテレビ放送受信手段共有方法をコンピュータに実現させるためのプログラム。
【請求項６】
請求項５に記載のプログラムを格納し、コンピュータで読取り可能な記憶媒体。
【発明の詳細な説明】
【技術分野】
【０００１】
本発明は、複数のユーザの間で、お互いの所有するテレビ番組受信手段を共有するテレビ放送受信手段共有システムに関するものである。
【背景技術】
【０００２】
従来より、ネットワーク上にあるAV機器や番組録画ファイルの共有に関するものとしては以下のものがある。
【０００３】
特開平７−２９８３６８ではＡＶコントロールシステムとして開示されているものに、すべてのＡＶ機器をバスに接続し、バス経由でＡＶデータ及び制御データをやりとりし、このバスと携帯端末で通信を行う。携帯端末より、すべてのＡＶ機器の制御を行うと同時に、ＡＶ機器は、映像及び音声情報を携帯端末に転送する。携帯端末は、この映像及び音声の信号を再生し、部屋内外の任意の位置で、携帯端末を用いて、すべてのＡＶ機器の制御を行い、ＡＶの観賞を行う事が出来るというものがある。
【０００４】
また、特開平８−５６３５２においてビデオファイルサーバ及び録画制御装置として開示されているものにネットワーク上に複数の録画装置を分散配置し、複数のユーザで共有するというものもある。
【０００５】
さらに、特開２００３−２８４１６６では電子機器システム、電子機器の機能の共有方法、電子機器装置および電子機器として開示されているがある。この特許ではあるＡＶ機器の機能を別のＡＶ機器においても実行できるように、機能をブロック化し電力線経由で接続し、機能を共有するというものも開示されている。
【特許文献１】特開平７−２９８３６８号公報
【特許文献２】特開平８−５６３５２号公報
【特許文献３】特開２００３−２８４１６６号公報
【発明の開示】
【発明が解決しようとする課題】
【０００６】
しかしながら従来の技術では、ネットワーク上の番組ファイルを共有することを目的とするものや、個人の所有するAV機器を共有することを目的とするものである。
【０００７】
特開平７−２９８３６８においては自分自身の所有するAV機器を、ごく近距離の遠隔から操作しAVデータをもらうことによりリモート操作とリモート鑑賞を実現するものである。他者の所有するAV機器の共有に関しては言及されていない。
【０００８】
特開平８−５６３５２ではネットワーク上に複数の録画装置を分散配置することを可能にすることによりユーザが自由に録画装置を配置して共有できるようにしたもので、テレビ放送受信手段ではなく録画ファイルを共有している。
【０００９】
特開２００３−２８４１６６ではAV機器の機能をブロック化して他のAV機器でも利用できるようにしたものでありあくまでも自分自身の管理するAV機器に限定されている。
【００１０】
本発明ではかかる問題点を解決するために、ネットワーク上のサーバでグループ化されたユーザを管理し、お互いのテレビ放送受信機器を共有し、放送データをリアルタイムに送受信することによりユーザ間でのテレビ放送受信手段の共有を可能にする。
【００１１】
これにより、システムで管理するテレビ放送受信手段の空き情報をもとに、テレビ放送受信手段を利用したいユーザにネットワーク上にあるテレビ放送受信手段を提供することを目的とする。
【課題を解決するための手段】
【００１２】
この課題を解決するために、請求項１に記載の発明は
複数の端末装置及びそれらの端末装置を管理するサーバ装置及び端末装置とサーバ装置とを接続するネットワークから構成されるテレビ放送受信手段共有システムおいて、
前記サーバ装置は、
ユーザからの前記端末装置経由で番組予約を受け付ける手段と、
前記受け付けた番組予約情報を他の端末装置に送信する手段とを備え、
前記端末装置は、
テレビ放送を受信する手段と、
前記テレビ放送を受信する手段により受信したテレビ放送の番組データを他の端末装置に送信する手段と、
前記送信手段により前記ネットワークを介して送信されてきた前記番組データを受信する手段と、
前記受信手段にて受信した前記番組データを記憶装置に蓄積する手段と、
前記テレビ放送の番組データを他の端末装置へ送信する際、前記サーバ装置経由で送信されてきた番組予約情報をもとに送信先端末装置を決定する手段とを備えたことを特徴とする。
【００１３】
請求項２記載の発明は、請求項１に記載のテレビ放送受信手段共有システムにおいて、
前記端末装置の設置場所を記憶する手段と、
番組予約依頼を端末装置から受け付けた際に、予約元の端末装置の設置場所情報と一致する設置場所情報を持つ端末装置に番組録画依頼を行う手段とを備えたことを特徴とする。
【発明の効果】
【００１４】
本発明によれば、ネットワーク上でグループ化されたユーザ間で、お互いのテレビ放送受信機器を共有し、番組データをリアルタイムに送受信することにより、同一時間帯に複数録画したい番組があった場合、録画手段（チューナ）も複数必要とせず、チューナ数が足りなくても他のユーザのチューナを利用することにより同一時間帯の複数の番組を録画できる。
【００１５】
また、チューナを持っていなくても他のユーザのチューナを利用することにより番組を録画できる。
【００１６】
さらにチューナ自体を共有しデータを送受信することにより、チューナを貸しているユーザ側に番組データファイルを残さないためチューナを貸している側のユーザの所持するハードディスク容量を圧迫しないという効果もある。
【発明を実施するための最良の形態】
【００１７】
以下、添付の図面に沿って本発明の実施の形態を説明する。
【００１８】
図１は本発明の実施の形態におけるテレビ放送受信手段共有システムの全体構成を示す図である。
【００１９】
図において、端末装置１０１，１０２、１０３は、その内部に通信機能を有しインターネット等に代表されるネットワーク１１１に接続される端末装置１０４，１０６，１０８、及びテレビチューナ１０５，１０７，１０９によって構成される。端末装置１０４，１０６，１０８はパーソナルコンピュータ（ＰＣ）によって構成され、テレビ放送受信手段共有システム端末装置用プログラムによって動作する。端末装置は４台以上接続されてもよい。サーバ装置１１０は、同様にその内部に通信機能を有し、ネットワーク１１１に接続されている。なお、サーバ装置１１０はサーバ用コンピュータによって構成され、テレビ放送受信手段共有システムサーバ装置用プログラムによって動作する。本実施例ではテレビ放送受信手段共有システム端末装置はＰＣとチューナ装置の構成で説明するが、一体型の専用装置でもかまわない。
【００２０】
図２はサーバ装置１１０の内部構成を示した図である。サーバ装置１１０は、上述したようにサーバ用コンピュータによって構成され、テレビ放送受信手段共有システムサーバ装置用プログラムデータによって動作する。具体的には、ＣＰＵ２０１、ＲＯＭ２０２、ＲＡＭ２０３、内部記憶装置２０４、外部記憶装置２０５、ネットワークＩ／Ｆ２０６、入力機器Ｉ／Ｆ２０７、ディスプレイＩ／Ｆ２０８、キーボード２０９、マウス２１０、ディスプレイ２１１、バス２１２を具備しネットワーク１１１に接続されている。
【００２１】
ＣＰＵ２０１はサーバ用コンピュータ全体の制御に加えてテレビ放送受信手段共有システムサーバ装置用プログラムデータが指示する処理を行うものである。
【００２２】
ＲＯＭ（Ｒｅａｄ  Ｏｎｌｙ  Ｍｅｍｏｒｙ）２０２は、読出し専用メモリである。ＲＯＭ２０２は、使用者が電気的にプログラムを書き込むことができるＰＲＯＭ（Ｐｒｏｇｒａｍｍａｂｌｅ  ＲＯＭ）と製造するときに内容を書き込むマスクＲＯＭとがあるが、本実施の形態においては何れのＲＯＭであってもよい。
【００２３】
ＲＡＭ（Ｒａｎｄｏｍ  Ａｃｃｅｓｓ  Ｍｅｍｏｒｙ）２０３は、自由書き込み・自由読出しができるメモリである。ＲＡＭ２０３は、本実施の形態の処理を行う際に一時的にデータを蓄える等の機能を有する。
【００２４】
内部記憶装置２０４は、情報をサーバ装置内で記憶するための装置である。内部記憶装置の例としては、ハードディスク等がある。内部記憶装置２０４にはテレビ放送受信手段共有システムサーバ装置用プログラムが格納されるとともに、テレビ放送受信手段共有システムサーバ装置用プログラムデータの動作に必要なデータや、端末データベース情報が格納される。
【００２５】
外部記憶装置２０５は、サーバ装置とは別個のメディアについて情報の読書きを行う。外部記憶装置２０５には、例えば、ＦＤドライブ、ＭＯドライブ、ＣＤ−ＲＷ，ＤＶＤ−ＲＷドライブ等がある。
【００２６】
ネットワークインタフェース２０６はネットワーク１１１に接続するための通信制御を処理する。通常サーバ装置１１０はインターネット基幹網に近いインターネットサービスプロバイダのＮＯＣ（Ｎｅｔｗｏｒｋ  Ｏｐｅｒａｔｉｏｎ  Ｃｅｎｔｅｒ）に設置されるため、通信インターフェースとしてＮＯＣのルーターに接続するための高速イーサーネットインタフェースで構成される。
【００２７】
入力機器Ｉ/Ｆ２０７はサーバ装置１１０が具備するキーボード２０９、マウス２１０等からの入力を処理するものであり、サーバ装置の操作に用いられるものであるが、なくてもテレビ会議システムの動作に支障はない。
【００２８】
ディスプレイＩ/Ｆ２０８及びディスプレイ２１１は表示部であり、CRTまたは液晶ディスプレイおよびその制御回路によって構成される。サーバ装置の動作状況はこのCRTまたは液晶ディスプレイ上の一部に表示されるものであるが、なくてもテレビ放送受信手段共有システムの動作に支障はない。
【００２９】
システムバス２１２は、サーバ装置内の各ブロック間の各種データのやりとり及び電力の供給をするものである。システムバス２１２は、アドレス線、データ線、制御線、電源・グラウンド線等からなる。
【００３０】
図３は本実施の形態における端末装置１０１，１０２，１０３の構成を示す図である。
【００３１】
端末装置を構成するＰＣ１０４，１０６，１０８はＵＳＢＩ／Ｆなどを介してチューナ装置１０５，１０７，１０９に接続され、チューナ装置１０５はテレビ方送受信用アンテナ３０７に接続されている。
【００３２】
端末装置を構成するＰＣの主な構成機器としては、パーソナルコンピュータ本体３０１である。また、ディスプレイ３０４、キーボード３０３、マウス３０２、スピーカ３０６、等はそれぞれパーソナルコンピュータ本体３０１に備わっている各機器に対応する入出力端子に接続される。
【００３３】
図４は、テレビ放送受信手段共有システム端末装置として利用するパーソナルコンピュータ１０４のＰＣ本体部３０１の内部構成を示した図である。
【００３４】
ＰＣ本体部３０１は、テレビ放送受信手段共有システム端末装置用プログラムによって動作する。具体的には、ＣＰＵ４０１、ＲＯＭ４０２、ＲＡＭ４０３、内部記憶装置４０４、外部記憶装置４０５、ネットワークＩ／Ｆ４０６、入力機器Ｉ／Ｆ４０７、ディスプレイＩ／Ｆ４０８、音声入出力Ｉ／Ｆ４０９、チューナ装置Ｉ／Ｆ４１０、キーボード３０３、マウス３０２、ディスプレイ３０４、スピーカ３０６、チューナ装置１０５、アンテナ３０７、システムバス４１１を具備しネットワーク１１１に接続されている。
【００３５】
ＣＰＵ４０１は、パーソナルコンピュータ全体の制御に加えてテレビ放送受信手段共有システム端末装置用プログラムデータが指示する処理を行う。
【００３６】
ＲＯＭ（Ｒｅａｄ  Ｏｎｌｙ  Ｍｅｍｏｒｙ）４０２は、読出し専用メモリである。ＲＯＭ４０２は、使用者が電気的にプログラムを書き込むことができるＰＲＯＭ（Ｐｒｏｇｒａｍｍａｂｌｅ  ＲＯＭ）と製造するときに内容を書き込むマスクＲＯＭとがあるが、本実施の形態においては何れのＲＯＭであってもよい。
【００３７】
ＲＡＭ（Ｒａｎｄｏｍ  Ａｃｃｅｓｓ  Ｍｅｍｏｒｙ）４０３は、自由書き込み・自由読出しができるメモリである。ＲＡＭ４０３は、本実施の形態の処理を行う際に一時的にデータを蓄える等の機能を有する。
【００３８】
内部記憶装置４０４は、情報を端末装置内で記憶するための装置である。内部記憶装置の例としては、ハードディスク等がある。４０４はテレビ放送受信手段共有システム端末装置用プログラムデータが格納されるとともに、テレビ放送受信手段共有システム端末装置用プログラムデータの動作に必要なデータや番組データの格納がされている。
【００３９】
外部記憶装置４０５は、端末装置とは別個のメディアについて情報の読書きを行う。外部記憶装置４０５には、例えば、ＦＤドライブ、ＭＯドライブ、ＣＤ−ＲＷドライブ、ＤＶＤ−ＲＷドライブ等がある。
【００４０】
ネットワークインタフェース４０６は、インターネットやイントラネットなどのネットワークに接続するための通信制御を処理するが、ユーザの環境に応じてさまざまな通信インターフェースが適用される。アクセス網に直接接続する場合は各種モデムやターミナルアダプタなどで構成され、外部装置のＡＤＳＬモデムやケーブルモデムに接続する場合はイーサーネットインタフェースで構成される。
【００４１】
入力機器Ｉ/Ｆ４０７は端末装置１０２が具備するキーボード３０３、マウス３０２等からの入力を処理するものであり、端末装置の操作に用いられるものである。
【００４２】
ディスプレイＩ/Ｆ４０８及びディスプレイ３０４は表示部であり、CRT、液晶ディスプレイ、プラズマディスプレイ、ＳＥＤ（Ｓｕｒｆａｃｅ−Ｃｏｎｄｕｃｔｉｏｎ Ｅｌｅｃｔｒｏｎ−ｅｍｉｔｔｅｒ Ｄｉｓｐｌａｙ）、フロントプロジェクタまたはリアプロジェクションテレビ、およびその制御回路によって構成される。端末装置の動作状況はこの表示装置上の一部に表示されるものである。
【００４３】
音声入出力機器Ｉ/Ｆ４１０は端末装置が具備するスピーカ等の音声出力装置３０６への出力を処理するものであり、端末装置において番組データの再生を行う際に用いられるものである。
【００４４】
システムバス４１１は、端末装置内の各ブロック間の各種データのやりとり及び電力の供給をするものである。バス４１１は、アドレス線、データ線、制御線、電源・グラウンド線等からなる。
【００４５】
図５は図１のサーバ装置１１０に保存されているユーザ情報テーブルの一部であり、本実施例の説明で必要な部分のみ記載したものである。図中Ｆ５０１のＩＤはユーザを識別するための一意なＩＤである、Ｆ５０２はユーザ名を表している。Ｆ５０３はユーザの居住地域情報すなわち端末設置されている地域情報をあらわしている。Ｆ５０４はユーザの所有する端末のIPアドレス情報である。
【００４６】
図６は図１の各端末装置１０１、１０２、１０３に保存されている番組データ予約済み情報テーブルの一部であり、本実施例の説明で必要な部分のみ記載したものである。図中Ｆ６０１のＩＤは予約を識別するための一意なＩＤである、Ｆ６０２は録画開始時間を表している。Ｆ６０３は録画終了時間を表している。Ｆ６０４は予約されているチャンネル名を表している。Ｆ６０５は予約されている番組名である。Ｆ６０６は依頼元情報であり、自端末のユーザからの予約は「local」で表し、他端末からの予約は他端末のIPアドレス情報をセットしている。
【００４７】
図７は本実施形態のテレビ放送受信手段共有システムにおける、端末装置１０１の予約受付操作の動作を示すフローチャートの一例である。
【００４８】
まず、ステップＳ７０１においてを開始すると、ステップＳ７０２に進む。
【００４９】
ステップＳ７０２において、入力装置３０３のキーボードや３０２のマウスからの指示によるユーザからの番組予約指示を受け付け、ステップＳ７０３に進む。
【００５０】
ステップＳ７０３において、自端末装置に接続されているチューナ装置１０５の有無を確かめ存在すれば、ステップＳ７０４に進む。
【００５１】
ステップＳ７０４において、図６に示される内部記憶装置４０４等に格納されている番組予約済み情報をＲＡＭ４０３に読み込み、Ｓ７０２にて受け付けた番組予約指示情報と既に予約されている情報を比較し、同一時間帯に予約があればステップＳ７０５に進む。
【００５２】
ステップＳ７０５において、端末装置１０１はサーバ装置１１０にネットワーク１１１を介して番組データ配信依頼を送信し、Ｓ７０７に進み終了する。
【００５３】
ステップＳ７０３において、自端末装置にチューナ装置がなければＳ７０５に進む。
【００５４】
ステップＳ７０４において、同一時間帯に予約がなければＳ７０６に進む。Ｓ７０６では図６に示されている自端末の番組データ予約済み情報に予約依頼情報を書き込みＳ７０７に進む。
【００５５】
以上が端末装置１０１の予約受付動作である。
【００５６】
図８は本実施形態のテレビ放送受信手段共有システムにおける、サーバ装置１１０の番組データ予約受付の動作を示すフローチャートの一例である。
【００５７】
まず、ステップＳ８０１において開始すると、ステップＳ８０２に進む。
【００５８】
ステップＳ８０２において、端末装置１０１，１０２、１０３からの新たな番組データ送信予約依頼の有無を判定し、依頼があればステップＳ８０３に進む。
【００５９】
ステップＳ８０３において、番組データ送信予約依頼のあったクライアントのユーザ名から図５のユーザ管理テーブルを検索し、該当ユーザレコードからユーザ居住情報とIPアドレスを抜き出し、ステップＳ８０４に進む。
【００６０】
ステップＳ８０４において、図５のユーザ管理テーブルを検索し、ステップＳ８０３で取り出したユーザ居住情報と一致する居住情報をもつすべてのユーザ情報を抜き出し、ステップＳ８０５に進む。
【００６１】
ステップＳ８０５において、ステップＳ８０４で抜き出したユーザ情報から１ユーザ分の情報を抜き出し、ステップＳ８０６に進む。
【００６２】
ステップＳ８０６において、抜き出したユーザの端末装置に対して番組データ送信処理の依頼をネットワーク１１１を介して行い、ステップＳ８０７に進む。
【００６３】
ステップＳ８０７において、依頼したユーザの端末装置から送信依頼受付ＯＫを受信すると、ステップＳ８０８に進む。
【００６４】
ステップＳ８０８において、ユーザからの本動作の修了指示の有無を判定し、終了指示があれば、ステップＳ８１０に進み終了する。
【００６５】
ステップＳ８０２において、番組データ送信予約依頼がなければステップＳ８０８に進む。
【００６６】
ステップＳ８０７において、依頼したユーザの端末装置から送信依頼受付ＮＧを受信するとステップＳ８０９に進む。
【００６７】
ステップＳ８０９において次のユーザ情報の有無を判定しなければステップＳ８０８に進む。
【００６８】
ステップＳ８０８において、ユーザからの本動作の終了指示の有無を判定し、無ければステップＳ８０２に進む。
【００６９】
ステップＳ８０９において、次のユーザ情報の有無を判定し、あればステップＳ８０５に進む。
【００７０】
以上がサーバ装置１１０の予約受付動作である。
【００７１】
図９は本実施形態のテレビ放送受信手段共有システムにおける、端末装置１０１のサーバ装置１１０経由で行う他端末装置からの番組データ送信依頼の受付の動作を示すフローチャートの一例である。
【００７２】
まず、ステップＳ９０１において開始すると、ステップＳ９０２に進む。
【００７３】
ステップＳ９０２において、サーバ装置１１０に接続し、ステップＳ９０３に進む。
【００７４】
ステップＳ９０３において、サーバ装置１１０からの番組データ送信予約依頼の有無を判定し、あればステップＳ９０４に進む。
【００７５】
ステップＳ９０４において、同一時間帯に既に予約データ、即ちローカルユーザからの番組予約またはネットワーク上の他のユーザからの番組データ送信予約の有無を判定し、なければステップＳ９０５に進む。
【００７６】
ステップＳ９０５において、番組データ送信依頼を受付けて、番組データの送信予約データを作成後予約データを自端末に登録し、ステップＳ９０６に進む。
【００７７】
ステップＳ９０６において、ユーザからの本動作の終了指示の有無を判定し、終了指示があれば、ステップＳ９０８に進み終了する。
【００７８】
ステップＳ９０３において、サーバ装置１１０からの番組データ送信予約依頼がなければステップＳ９０６に進む。
【００７９】
ステップＳ９０４において同一時間帯に既に予約データ、即ちローカルユーザからの番組予約またはネットワーク上の他のユーザからの番組データ送信予約があればＳ９０７に進む。
【００８０】
ステップＳ９０７においてサーバに番組データ送信予約依頼の拒否を通知し、Ｓ９０６に進む。
【００８１】
ステップＳ９０６において、ユーザからの本動作の終了指示の有無を判定し、無ければステップＳ９０３に進む。
【００８２】
以上が端末装置１０１の他端末装置からの番組データ送信依頼の受付動作である。
【００８３】
図１０は本実施形態のテレビ放送受信手段共有システムにおける、端末装置１０１の他端末装置への番組データ送信の動作を示すフローチャートの一例である。
【００８４】
まず、ステップＳ１００１において開始すると、ステップＳ１００２に進む。
【００８５】
ステップＳ１００２において、現在時刻情報を取得してステップＳ１００３に進む。
【００８６】
ステップＳ１００３において、端末装置１０１の内部記憶装置４０４に保存されている複数の番組データ送信依頼及び番組録画の予約データを取得して、ステップＳ１００４に進む。
【００８７】
ステップＳ１００４において、ステップＳ１００４で取得した複数の予約データの録画開始時間Ｆ６０２と、ステップＳ１００３にて取得した現在時刻を比較して、予約された時間になっている予約データがあればステップＳ１００５に進む。
【００８８】
ステップＳ１００５において、予約開始時間になっている予約データのＦ６０６の依頼元情報からローカルユーザからの予約かネットワーク上の別端末からの依頼か否か判定し、ローカルユーザの予約であればＳ１００６に進む。
【００８９】
ステップＳ１００６において、予約指示された番組データの録画を行い、録画データを内部記憶装置４０４に保存しＳ１００７に進む。
【００９０】
ステップＳ１００７において、ユーザからの本動作の終了指示の有無を判定し、終了指示があれば、ステップＳ１００９に進み終了する。
【００９１】
ステップＳ１００３において、ＩＤとパスワードの受信がなければステップＳ１００３に進む。
【００９２】
ステップＳ１００４において予約時間でなければステップＳ１００７に進む。
【００９３】
ステップＳ１００５において、予約開始時間になっている予約データが自端末での番組録画予約か否か判定し、自端末の予約でなければステップＳ１００８に進む。
【００９４】
ステップＳ１００８では指示された番組データを、指示されたＰＣすなわち番組データ送信依頼の予約データに記載されているＩＰアドレスに送信し、Ｓ１００７に進む。
【００９５】
ステップＳ１００７において、ユーザからの本動作の終了指示の有無を判定し、無ければステップＳ１００２に進む。
【００９６】
以上が端末装置１０１の他端末装置への番組データ送信の動作である。
【００９７】
図１１は本実施形態のテレビ放送受信手段共有システムにおける、端末装置１０１の他端末装置からの番組データ受信の動作を示すフローチャートの一例である。
【００９８】
まず、ステップＳ１１０１において開始すると、ステップＳ１１０２に進む。
【００９９】
ステップＳ１１０２において、他の端末装置からの接続の有無を判定し、あればステップＳ１１０３に進む。
【０１００】
ステップＳ１１０３において、他の端末装置からの番組データを受信し、Ｓ１００４に進む。
【０１０１】
ステップＳ１１０４において、受信した番組データを内部記憶装置４０４に保存し、ステップＳ１１０５に進む。
【０１０２】
ステップＳ１１０５において、ユーザからの本動作の終了指示の有無を判定し、終了指示があれば、ステップＳ１１０６に進み終了する。
【０１０３】
ステップＳ１１０２において、他の端末装置からの接続の有無を判定し、なければステップＳ１１０５に進む。
【０１０４】
ステップＳ１１０５において、ユーザからの本動作の終了指示がなければステップＳ１１０２に進む。
【０１０５】
以上が端末装置１０１の他端末装置からの番組データ受信の動作である。
【図面の簡単な説明】
【０１０６】
【図１】本実施の形態におけるシステムの構成図。
【図２】本実施の形態におけるサーバ装置１１０の構成を示すブロック図。
【図３】本実施の形態における端末装置１０４のハードウェア構成を示す図。
【図４】本実施の形態における端末装置１０４を構成するＰＣ本体３０１の構成を示すブロック図。
【図５】本実施の形態におけるユーザ情報テーブルを示す図。
【図６】本実施の形態における番組予約情報テーブルを示す図。
【図７】本実施の形態における、端末装置１０１の録画予約受付操作の動作を示すフローチャート。
【図８】本実施の形態における撮像装置のＩＤとパスワード情報を他の会議端末に通知する場合の会議サーバ側の動作を示すフローチャート。
【図９】本実施の形態における撮像装置のＩＤとパスワード情報をサーバ装置にのみ通知する場合の会議端末側の動作を示すフローチャート。
【図１０】本実施の形態における撮像装置のＩＤとパスワード情報をサーバ装置にのみ通知する場合の会議サーバ側の動作を示すフローチャート。
【図１１】本実施の形態における撮像装置のＩＤとパスワード情報を他に通知しない場合の会議端末側の動作を示すフローチャート。
【符号の説明】
【０１０７】
１０１、１０２、１０３  端末装置
１０４、１０６、１０８  パソコン
１０５、１０７、１０９  チューナ装置
１１０  サーバ装置
１１１  ネットワーク
２０１  ＣＰＵ
２０２  ＲＯＭ
２０３  ＲＡＭ
２０４  内部記憶装置
２０５  外部記憶装置
２０６  ネットワークＩ／Ｆ
２０７  入力機器Ｉ／Ｆ
２０８  ディスプレイＩ／Ｆ
２０９  キーボード
２１０  マウス
２１１  ディスプレイ
３０１  ＰＣ本体
３０２  マウス
３０３  キーボード
３０４  ディスプレイ
３０６  スピーカ
３０７  アンテナ
４０１  ＣＰＵ
４０２  ＲＯＭ
４０３  ＲＡＭ
４０４  内部記憶装置
４０５  外部記憶装置
４０６  ネットワークＩ／Ｆ
４０７  入力機器Ｉ／Ｆ
４０８  ディスプレイＩ／Ｆ
４０９  音声入出力Ｉ／Ｆ
４１０  チューナ装置Ｉ／Ｆ
【図１】
2007166407.tif 000003
【図２】
2007166407.tif 000004
【図３】
2007166407.tif 000005
【図４】
2007166407.tif 000006
【図５】
2007166407.tif 000007
【図６】
2007166407.tif 000008
【図７】
2007166407.tif 000009
【図８】
2007166407.tif 000010
【図９】
2007166407.tif 000011
【図１０】
2007166407.tif 000012
【図１１】
2007166407.tif 000013